(57)【特許請求の範囲】
【請求項１】
静止画の記録を行う第１記録媒体と、動画の記録を行う第２記録媒体とに対して、撮影時に同時に画像記録が行われたことを示す同時撮影情報が双方の記録媒体に記録されており、
該各同時撮影情報に基づき、動画撮影の部分と静止画撮影のみの部分に分け、更に前記動画撮影の部分は撮影開始と撮影終了で分けることによりブロックに分割し、前記静止画画像若しくは静止画撮影されたときの画像を含むように前記動画画像を再生する静止画重点モード又は前記ブロックが前記静止画撮影のみの場合に再生の対象より除外する動画重点モードのいずれかのモードで、前記ブロックごとに前記ブロックに含まれる前記静止画画像の枚数に基づいて重点度を判定して演出方法を決定することを特徴とする画像再生装置。
【請求項２】
静止画を記録した第１記録媒体と、動画を記録した第２記録媒体の双方に撮影時に同時に画像記録が行われたことを示す同時撮影情報が記録されており、該同時撮影情報に基づき、動画撮影の部分と静止画撮影のみの部分に分け、更に前記動画撮影の部分は撮影開始と撮影終了で分けることによりブロックに分割し、前記ブロックにおいて前記静止画画像の枚数に対して前記動画画像記録媒体への撮影時間が短いものほど前記動画画像の再生時間の比率を大きくすることを特徴とする画像制御方法。
【発明の詳細な説明】
【０００１】
【発明の属する技術分野】
本発明は静止画及び動画が記録されている各記録媒体からそれぞれ画像を読み出して再生する画像再生装置及び画像制御方法に関する。
【０００２】
【従来の技術】
従来はビデオ画像撮影と銀塩写真撮影をそれぞれ別々に行っていた。そして、鑑賞時にはビデオ画像はビデオ画像だけ、写真は写真だけでそれぞれ別々に鑑賞していた。また、ビデオ画像撮影と銀塩写真撮影の両方の機能を持ち、ビデオ撮影中に銀塩撮影を行うことのできる画像撮影装置もあるが、この画像撮影装置で撮影しても鑑賞時には別々に鑑賞していた。
【０００３】
【発明が解決しようとする課題】
しかしながら、後者の場合、撮影時に同時に撮影しているにも拘らず、鑑賞時に別々に鑑賞するのでは同時に撮影した意味が薄れてしまう。また、撮影されたビデオ画像は一旦編集しないと、冗長であるため鑑賞に堪えられない場合が多い。特に、撮影のポイントがはっきりせず、撮影時間が長時間に及ぶ場合、編集しなければビデオ画像を鑑賞するのに時間がかかりすぎることとなる。そのため、せっかく撮影を行ったのにビデオ画像をなかなか見ようとしなかった。そして、ほとんど見ないままビデオ画像が死蔵されることも多かった。
【０００４】
本発明は上記課題を解決し、簡単な操作でビデオ画像のような動画と銀塩画像のような静止画の両方を鑑賞することができ、しかも、同時撮影された両方の画像ならではの効果的な鑑賞を行うことができる画像再生装置及び画像制御方法を提供することを目的とする。
【０００５】
【課題を解決するための手段】
上記目的を達成するため、本発明の第１の構成では、静止画の記録を行う第１記録媒体と、動画の記録を行う第２記録媒体とに対して、撮影時に同時に画像記録が行われたことを示す同時撮影情報が双方の記録媒体に記録されており、
該各同時撮影情報に基づき、動画撮影の部分と静止画撮影のみの部分に分け、更に前記動画撮影の部分は撮影開始と撮影終了で分けることによりブロックに分割し、前記静止画画像若しくは静止画撮影されたときの画像を含むように前記動画画像を再生する静止画重点モード又は前記ブロックが前記静止画撮影のみの場合に再生の対象より除外する動画重点モードのいずれかのモードで、前記ブロックごとに前記ブロックに含まれる前記静止画画像の枚数に基づいて重点度を判定して演出方法を決定するようになっている。
【０００６】
このような構成では、画像再生装置は各記録媒体に記録されている同時撮影情報を読み込む際に撮影日等の撮影情報を読み込みブロックに分割する。そして、各ブロックについて再生時間や効果表現等の演出方法を静止画重点モード又は動画重点モードに応じて決定する。その場合、モードの選択は各ブロックに含まれる静止画画像の枚数に基づいて行われる。
【００１９】
また、本発明の第２の構成では、静止画を記録した第１記録媒体と、動画を記録した第２記録媒体の双方に撮影時に同時に画像記録が行われたことを示す同時撮影情報が記録されており、該同時撮影情報に基づき、動画撮影の部分と静止画撮影のみの部分に分け、更に前記動画撮影の部分は撮影開始と撮影終了で分けることによりブロックに分割し、前記ブロックにおいて前記静止画画像の枚数に対して前記動画画像記録媒体への撮影時間が短いものほど前記動画画像の再生時間の比率を大きくするようになっている。
【００２０】
このような構成では、各記録媒体を前述のようにブロックに分割する。各ブロックについて動画画像の撮影時間に対する静止画画像の枚数を調べる。その枚数が多い順番に動画画像の再生時間の比率を大きくする。撮影者が動画画像の撮影時間に対して静止画画像の割合が大きいブロックでは再生時間が長くなり、逆に小さいブロックでは再生時間が短くなる。動画画像の撮影時間に対して静止画画像の記録を多く行ったブロックほど重点的に再生される。
【００２３】
【発明の実施の形態】
＜第１の実施形態＞
本発明の第１の実施形態について図１〜図１７及び図２０を用いて説明する。本実施形態の画像再生装置１（図１）は同時撮影可能な画像撮影装置（図２０）で撮影された銀塩フィルム及びビデオテープのマッチングを取って効果的な鑑賞を行うものである。尚、同時撮影とはビデオ撮影中に銀塩撮影を行うことである。
【００２４】
まず、この画像撮影装置について説明する。図２０は同時撮影することのできる画像撮影装置の概略構成図である。画像撮影装置は、カメラ本体Ｃと、主光学系としての主レンズＬ及び照明兼閃光発生装置（以下「フラッシュアンドライトという）Ｆから成る。また、後述するビデオ撮像光学系と銀塩撮像光学系は共通の構成部材によって構成されている。各部構成を示す図中の符号の頭に、カメラ本体Ｃ側にはＣを、主レンズＬ側にはＬを、フラッシュアンドライトＦ側にはＦを付して、図面と説明文との対照の容易化を図ることとする。
【００２５】
尚、カメラ本体Ｃと主レンズＬ、カメラ本体ＣとフラッシュアンドライトＦは別体に構成したものを示しているが、カメラ本体Ｃと主レンズＬ、カメラ本体ＣとフラッシュアンドライトＦ、又は三者を一体化してもよい。また、ビデオ撮像光学系と銀塩撮像光学系とは相互に独立とした構成としてもよい。更に、図２０には銀塩用の撮像系と電子映像用の撮像系が一体化したＳＬＲ方式のものを示しているが、これも銀塩用の撮像系と電子映像用の撮像系とが別々の方式で構成されたものとしてもよい。
【００２６】
図２０に示すように、カメラ本体Ｃ側には、銀塩写真撮像部を構成するシャッター駆動部Ｃ０６、シャッターＣ０７、フィルム４及びフィルム給送制御部Ｃ０９（以下「銀塩写真記録手段」という）と、銀塩情報記録部（銀塩情報記録手段Ｃ３７が設けられているとともに、映像信号記録再生部を構成する画像処理部Ｃ２４、録再変換部Ｃ２５、ヘッド部Ｃ２６、電気表示素子としてのＥＶＦ部Ｃ２７、記録媒体３及び記録媒体駆動部Ｃ３６が設けられている。
【００２７】
図２０において、主レンズＬ側の構成について説明すると、Ｌ０１、Ｌ０３は使用者の手先で回転操作される操作環で、Ｌ０１はフォーカスを操作するフォーカス操作環、Ｌ０３はズームを操作するズーム操作環である。Ｌ１３は固定筒、Ｌ０２、Ｌ０４はそれぞれ操作環Ｌ０１、Ｌ０３の回転を検出する操作環状態検出部であって、通常はエンコーダにより構成されている。
【００２８】
Ｌ０５は主レンズＬの焦点距離を検出する焦点検出部、Ｌ０６は主レンズＬ側の演算制御部であるレンズ用マイクロコンピュータ、Ｌ０７は主レンズＬのズーム動作を行わせるためのズーム用モータ、Ｌ０８はズーム用モータＬ０７の回転状態を検出するズーム用モータモニタであって、例えばフォトインタラプタから成る。
【００２９】
また、Ｌ０９は主レンズＬのフォーカス動作を行わせるためのフォーカス用モータ、Ｌ１０はオートフォーカスとマニュアルフォーカスを切り換えるためのＡＦ／ＭＦ切換ボタン、Ｌ１１は主レンズ絞り、Ｌ１２は主レンズ絞り制御部である。主レンズ絞り制御部Ｌ１２は、絞りを動作させるステッピングモータ等と絞り状態検出部とにより構成されている。
【００３０】
フォーカス及びズーム操作環Ｌ０１、Ｌ０３は、固定筒Ｌ１３の外周面に回転自在に嵌合され、これによって主レンズＬの光軸ＡＸの回りに回転できるようになっている。そして、フォーカス操作環Ｌ０１を回転操作することによりパワーフォーカス動作を、また、ズーム操作環Ｌ０３を回転操作することによりパワーズーム動作を行わせることができる。
【００３１】
次に、カメラ本体Ｃ側の構成について説明すると、Ｃ０１はカメラ本体Ｃ側の演算制御部であるカメラ用マイクロコンピュータであって、主レンズＬ側とは交信・給電用接点Ｃ３０を介して情報の交信を行い、フラッシュアンドライトＦとはフラッシュ用接点としてのホットシューＣ２０を介してフラッシュ演算制御部Ｆ０１と情報を交信している。
【００３２】
Ｃ０５はペリクルミラーＣ０４の背後に設けられたＡＦ用補助ミラーであって、主レンズＬを通ってきた被写体の光は、ペリクルミラーＣ０４で分割され、更にこのＡＦ用補助ミラーＣ０５で分割されて焦点検出部Ｃ０２に導かれる。この焦点検出部Ｃ０２は焦点情報をカメラ用マイクロコンピュータＣ０１に伝達し、カメラ用マイクロコンピュータＣ０１で処理された焦点情報はレンズ用マイクロコンピュータＬ０６に伝達され、このレンズ用マイクロコンピュータＬ０６の指令によりフォーカス用モータＬ０９が駆動され、焦点（ピント）合わせが行われる。
【００３３】
Ｃ０６はシャッター駆動部であって、カメラ用マイクロコンピュータＣ０１からの指令によってシャッターＣ０７を開閉制御する。すなわち、カメラ用マイクロコンピュータＣ０１は操作部ＣＯＰ、輝度検出部Ｃ１２等からの情報に基づいてシャッター駆動部Ｃ０６に指令信号を与える。４はフィルムであって、そのフィルム面上にはシャッターＣ０７の開閉によって得られた光により被写体像が感光し、潜像を形成する。Ｃ０９はフィルム給送制御部であって、内蔵のモータ駆動によりフィルム送り及び巻き戻しを行う。
【００３４】
ペリクルミラーＣ０４で分割されたもう一方の光は、コンデンサレンズＣ１０、反射ミラーＣ１１、ＮＤフィルタＣ１３、リレーレンズＣ１４を含むリレー光学系、光学ローパスフィルタＣ１６、ＩＲカットフィルタＣ１７を経てＣＣＤイメージセンサＣ２１に導かれる。反射ミラーＣ１１は一部半透過ミラーになっており、そこから前記輝度検出部Ｃ１２に一部光を導き入れ、被写体の輝度を検出する。
【００３５】
Ｃ１５はＮＤフィルタ制御部であって、カメラ本体Ｃ内に装着されているフィルム４とＣＣＤイメージセンサＣ２１間の感度差や、輝度検出部Ｃ１２で検出された被写体の輝度に基づいて、カメラ用マイクロコンピュータＣ０１側で設定されたＮＤの濃度情報によりＮＤフィルタＣ１３を制御する。リレー光学系内にはリレー絞りＣ１８が設けられており、ＣＣＤイメージセンサＣ２１へ導く光量をリレー絞り制御部Ｃ１９で制御している。
【００３６】
ＣＣＤイメージセンサＣ２１は、カメラ用マイクロコンピュータＣ０１からの指令を受けたＣＣＤ駆動パルス発生部Ｃ２３からの駆動パルスにより被写体からの光を光電変換する。光電変換された電気信号は撮像処理部Ｃ２２に送られ、サブサンプリング等のアナログ処理が施された後、Ａ／Ｄ変換され、画像処理部Ｃ２４に送られる。
【００３７】
画像処理部Ｃ２４は、γ変換やホワイトバランス（ＷＢ）変換、輝度・色差（Ｙ／Ｃ）信号に変換するプロセス部と、プロセス部からの画像データを記録するメモリ部と、カメラ用マイクロコンピュータＣ０１からの指令により画像処理を行うための演算制御部と、演算制御部からの画像信号を記録しておくメモリ部と、スーパーインポーズを行うためのスーパーインポーズ部とにより構成されており、この画像処理部Ｃ２４で加工された画像信号はＥＶＦ部Ｃ２７、録再変換部Ｃ２５、及び外部出力ポートＣ３２に送られる。尚、図２０中、画像処理部Ｃ２４と外部出力ポートＣ３２間の伝送線路は表示の都合によりａ−ａ間を省略している。
【００３８】
ＥＶＦ部Ｃ２７は、液晶ファインダーやＣＲＴ等から成るファインダー部と、画像処理部Ｃ２４からの画像信号を表示部駆動用に変換する変換部とから成り、画像表示を行う。Ｃ３５は操作表示部であって、大型液晶表示板及びランプを備え、操作部ＣＯＰを操作した情報を表示する。
【００３９】
録再変換部Ｃ２５は、画像処理部Ｃ２４からの画像信号や、音声処理部Ｃ３１からの音声信号、カメラ用マイクロコンピュータＣ０１からの各種信号や情報を記録用フォーマットにエンコードし、ヘッド部Ｃ２６に送る。３は記録媒体であって、磁気テープや光磁気ディスク、固体メモリ（ＲＡＭ）を使用することができる。尚、本実施形態ではデジタルビデオカセット（以下「ＤＶＣ」という）の磁気テープを掲げている。
【００４０】
Ｃ３６は記録媒体駆動部で、記録媒体３の駆動を行う。ヘッド部Ｃ２６に送られた信号は、記録媒体駆動部Ｃ３６で駆動された記録媒体３に記録される。同様に記録媒体３に記録されたデータはヘッド部Ｃ２６で読み出しを行い、録再変換部Ｃ２５でデコードして画像信号や音声信号、各種信号や情報を再生し、画像処理部Ｃ２４や音声処理部Ｃ３１に送り出す。
【００４１】
Ｃ３７は銀塩情報記録部であって、フィルムの銀塩情報記録用部分に各種情報を記録するものであり、カメラ用マイクロコンピュータＣ０１からの情報を記録用フォーマットに変換する変換部と、記録を行うヘッド部とから成るものである。尚、銀塩情報記録部Ｃ３７は記録だけでなく、再生も行うように構成される場合もある。
【００４２】
音声は、カメラ本体Ｃの前面適所に設けられたステレオマイクロフォンＣ３４により拾い出し、音声処理部Ｃ３１で処理する。また、音声処理部Ｃ３１で処理された音声信号は録再変換部Ｃ２５やスピーカＣ３３、出力ポートＣ３２に送られる。尚、図２０中に音声処理部Ｃ３１とマイクロフォンＣ３４間の伝送線路は表示の都合によりｂ−ｂ間を省略している。Ｃ２９はカメラ本体Ｃ側に装備される電池であって、カメラ本体Ｃ、主レンズＬ等に電源を供給する。
【００４３】
Ｃ０３は手部れ検出部であって、主レンズＬが装着されたカメラ全体の手部れを検出し、その検出信号をカメラ用マイクロコンピュータＣ０１に伝送する。映像信号撮像部における手部れ補正は、この検出信号をもとにＣＣＤイメージセンサＣ２１の読み出しエリアを制御している。
【００４４】
操作部ＣＯＰにはメインスイッチを兼用した動作切換スイッチが設けられており、このスイッチの操作により、ＯＦＦ、ＰＭ、ＰＨ、ＭＶ、Ｖ、ＳＶ、Ｅの動作モードを選択することができる。この切換スイッチをＯＦＦに合わせると、本装置全体をＯＦＦ状態とする。ＰＭに合わせると、ビデオムービーと銀塩写真が同時に撮影できる同時撮影モードに、ＰＨでは銀塩撮影ができる銀塩撮影モードに、ＭＶではビデオムービーが撮影できるビデオ撮影モードに、Ｖでは記録済みビデオを再生するビデオ再生モードに、ＳＶではビデオ静止画が撮影できるスチルビデオ撮影モードに、Ｅでは後述する銀塩フィルム４上の撮影情報記録部に記録されている情報の書き換えを行う編集モードに、それぞれ切り換えることができる。また、操作部ＣＯＰには銀塩撮影時のレリーズボタン、ズームボタンや録画のスタート、ストップを制御する録画ＯＮ／ＯＦＦボタン等が設けられている。
【００４５】
図３にフィルムカートリッジ４ｃから銀塩フィルム４を引き出した状態を示す。このフィルム４の一部には磁性体が塗布されており磁気情報として情報を記録することができる。このフィルム４において、４ａはフィルムリーダー部であって、フィルム全体に関わる情報を記録する記録トラック４ｄ、４ｅを有している。４ｂは撮影単位の１コマ目に対応する部分であって、撮像部４ｇ、パーフォレーション４ｈ、４ｉ、各コマに対応する磁気情報を記録するトラック４ｆから成る。また、その後フィルム終端部に至るまでコマ対応部４ｂと同じパターンが撮影可能コマ数分続く。
【００４６】
記録媒体３のデータ記録について説明する。図２にＤＶＣのビデオテープ（磁気テープ）７０でのデータの記録状態を示す。矢印Ｋ１はテープ７０が走行する方向を示す。矢印Ｋ２はヘッドＣ２６（図２０参照）の走査方向を示す。トラックは、基準信号等が記録されるＩＴＩセクター７１と、音声信号等が記録されるオーディオセクター７２と、映像信号等が記録されるビデオセクター７３と、頭出しの信号等が記録されるサブコードセクター７４から成る。各信号はデジタルで記録される。
【００４７】
ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式では、矢印ＴＲで示される範囲の１０トラックで１フレームを記録するパターンが採用されている。また、サブコードセクター７４には、標準としてフィールドごとに付けられるタイムコードと、日付、時刻が記録される。更に、各種の情報（例えば、同時撮影情報や銀塩フィルムの識別番号等）も記録することができる。
【００４８】
次に、銀塩撮影モード（ＰＨ）の撮影について説明する。上記動作モード切換スイッチをＰＨのカメラ用マイクロコンピュータＣ０１は各操作ボタンを銀塩撮影モード（ＰＨ）に対応するようにセットする。同時にカメラ用マイクロコンピュータＣ０１とレンズ用マイクロコンピュータＬ０６が交信し、レンズ情報がカメラ用マイクロコンピュータＣ０１に伝達されると、映像信号撮像部、映像信号記録再生部、ＥＶＦ部Ｃ２７が起動する。
【００４９】
レリーズボタンを押すことにより、設定された撮影条件で、絞りＬ１１やシャッターＣ０７を制御し、銀塩撮影が行われる。銀塩撮影が終了すると銀塩写真撮像部のフィルム給送部Ｃ０９がフィルム４を１コマ分送るが、このときにフィルム４の磁気トラック４ｆに撮影条件や情報が記録される。
【００５０】
撮影と同時に映像信号記録再生部では、撮影のタイミングとほぼ同じタイミングでの画像信号を画像処理部Ｃ２４内の画像メモリに記録し、記録媒体３が記録できる状態になってからマイクロコンピュータＣ０１から出力された情報を交えて静止画として記録する。撮影情報は図２においてサブコードセクタ７４に記録される。フィルム４及び記録媒体３に記録される情報の内容の一例を図７に示す。
【００５１】
図７に示す銀塩撮影情報において、１番目はそのコマの撮影日である。２番目はその撮影時刻である。３番目は同時撮影情報である。同時撮影情報はビデオ撮影と銀塩撮影が同時に行われたかどうかを示す情報である。４番目は未使用領域となっている。
【００５２】
５番目はフィルム天地情報である。フィルム天地情報は画像の天地方向を識別する情報である。６番目はプリントアスペクト比である。プリントアスペクト比は銀塩画像を再生するときのアスペクト比を指定する情報である。例えば、特開平７−８４３０９号公報で提案されているＨ、Ｃ、Ｐの３種類で、撮像部４ｇ（図３参照）においてそれぞれアスペクト比の異なる再生領域が設定される。
【００５３】
７番目は連続シーンである。連続シーンは銀塩カメラの連写モードで撮影した一連のシーンに関する情報である。８番目は撮影したコマのタイトルが与えられるコマタイトルである。９番目はフィルム４のタイトルが与えられるフィルムタイトルである。１０番目は撮影に使用したカメラを識別するカメラ識別コードである。
【００５４】
一方、ビデオ撮影情報において、１番目は撮影日、２番目は撮影時刻、３番目は同時撮影情報である。４番目はフレームリンク情報である。フレームリンク情報はビデオ画像のつながりに関するもので、連続して撮影された一固まりの画像郡に関する情報で画像をブロックごとに扱うものである。具体的には撮影開始時刻、撮影終了時刻、それにともなう撮影時間である。
【００５５】
次に、同時撮影モード（ＰＭ）の撮影について説明する。動作モード切換スイッチをＰＭの位置にセットすることにより、カメラ用マイクロコンピュータＣ０１は各操作ボタンを同時撮影モード（ＰＭ）時に対応するようにセットする。同時にカメラ用マイクロコンピュータＣ０１とレンズ用マイクロコンピュータＬ０６が交信し、レンズ情報がカメラ用マイクロコンピュータＣ０１に伝達される。
【００５６】
次いで、焦点検出部Ｃ０２、輝度検出部Ｃ１２が起動し、ＡＥ（自動絞り調整）及びＡＦ（自動合焦）動作が行われ、更に映像信号撮像部、映像信号記録再生部、ＥＶＦ部Ｃ２７が起動し、ＥＶＦ部Ｃ２７上に撮影レンズが捉えた被写体像が表示される。撮影者が被写体をＥＶＦ部Ｃ２７上で捉え、録画ＯＮ／ＯＦＦボタンを操作することにより、記録媒体３に動画記録が開始される。
【００５７】
動画記録状態でレリーズボタンを半押しすると、レンズ情報や設定情報に基づいて撮影条件が設定される。レリーズボタンを押し切ると、設定された撮影条件で絞りＬ１１やシャッターＣ０７が制御され、銀塩撮影が行われる。銀塩撮影が終了すると、銀塩写真撮像部のフィルム給送部Ｃ０９がフィルム４を１コマ分送るが、このときにフィルム４の１コマ分の磁気トラック４ｆに、このときの撮影条件や情報（図７）が記録される。
【００５８】
撮影と同時に映像信号記録再生部では、撮影のタイミングとほぼ同じタイミングでの画像信号にカメラ用マイクロコンピュータＣ０１から出力された情報（図７）を交えて記録する。また、同時撮影時に画像撮影装置は銀塩フィルム４に記録媒体３の識別番号を記録し、記録媒体３には銀塩フィルム４の識別番号を記録することもできる。
【００５９】
同時撮影モード（ＰＭ）での映像記録スタンバイ時、動画映像記録が行われないときのレリーズボタンの操作による記録動作は銀塩撮影モード（ＰＨ）と同様となる。
【００６０】
ビデオ撮影モード（ＭＶ）ではビデオ撮影のみ行うことができる。ビデオ再生モード（Ｖ）では、記録媒体３に記録されている画像の再生を行い、ＥＶＦ部Ｃ２７に表示する。編集モード（Ｅ）では、フィルム４に記録されている撮影情報を読み出し、インデックス情報としてＥＶＦ部Ｃ２７に表示する。そして、プリントアスペクト比（図７）等の情報の変更を行うことができる。
【００６１】
次に、上記画像撮影装置（図２０）で撮影されたフィルム４とビデオテープ３から画像を再生する画像再生装置１について説明する。図１に画像再生装置１のシステム構成を示す。画像再生装置１には、ＤＶＣ（ビデオ画像記録媒体）３を装着する装着口１ａと銀塩フィルム（銀塩記録媒体）４を装着する装着口１ｂが設けられている。矢印Ａ３に示すようにＤＶＣ３は装着口１ａに装着される。矢印Ａ４に示すように銀塩フィルム４は装着口１ｂに装着される。
【００６２】
画像再生装置１は装着口１ａに装着されたＤＶＣ３よりビデオ画像及びビデオ撮影情報を読み込む。また、ＤＶＣ３に画像やビデオ撮影情報を書き込むことも可能である。画像再生装置１は装着口１ｂに装着された銀塩フィルム４より銀塩画像や銀塩撮影情報を読み込む。また、後述するように、銀塩フィルム４に撮影情報を書き込むことも可能である。
【００６３】
画像再生装置１より、ＴＶ等のモニター装置２に撮影された映像や音声の信号が送られる。モニター装置２は陰極線管等の画面表示部２ａとスピーカ２ｂ、２ｃから成る。画面表示部２ａは画像再生装置１より送られてくる映像を画面表示する。スピーカ２ｂ、２ｃは送られてくる音声信号を音響出力する。
【００６４】
図４は本実施形態の画像再生装置１のブロック図である。制御部１１は画像再生装置１（図１参照）の種々の部分を制御するもので、マイクロコンピュータで構成される。フィルム給送部２６はモータを備えており、制御部１１の制御により撮影済みの銀塩フィルム４を読み出したい画像のフィルム位置までフィルム４を送り出したり、巻き戻したりする。
【００６５】
銀塩情報処理部２５は磁気ヘッドを有し、銀塩フィルム４に記録されている銀塩撮影情報を読み取ったり、情報を銀塩フィルム４に書き込んだりする。読み取った銀塩撮影情報は銀塩情報・ビデオ情報メモリ部２０で記憶される。
【００６６】
光源部２７は例えば電球や蛍光灯で構成される。光源部２７によってフィルム４を照明することにより、フィルム４の銀塩画像が銀塩画像読み取り部２１で読み取られる。銀塩画像読み取り部２１で読み取られた画像データは銀塩画像信号処理部２２でγ変換、Ｙ／Ｃ分離等が行われる。銀塩画像メモリ部２３は画像処理されたデータを記憶しておく。
【００６７】
デッキ駆動部３６はモータを備えており、制御部１１の制御によりＤＶＣ３を駆動する。そして、ヘッド３２でＤＶＣ３に記憶されている内容を読み取る。そして、デコーダ部３３でデコードして、映像信号は動画信号処理部３４へ、音声信号は音楽演奏部１５へ、ビデオ撮影情報はビデオ情報処理部３５へ送られる。ビデオ情報処理部３５ではビデオ撮影情報の内容から後述するブロック分割に必要なビデオ撮影情報を銀塩情報・ビデオ情報メモリ部２０に記憶する。
【００６８】
動画信号処理部３４では、圧縮されていた動画信号を伸張し、同期信号等を加えてＹ／Ｃ信号とする。動画信号処理部３４と銀塩画像信号処理部２２で処理された信号は出力画像用メモリ１３で一旦記憶される。その後、スーパーインポーズ部１４で、制御部１１より送られてくる日付情報やタイトル情報等を画像に合成する。そして、出力端子９０よりモニター装置２に出力する。
【００６９】
操作部１７は各種の入力スイッチから成る。電源スイッチ、再生のスタート／ストップ、再生モードの選択、音楽の選択、画像の回転、ポーズ等から成る。
【００７０】
画像のスクロール、回転、ポーズ等の画像再生方法と、オーバーラップ、フェードイン、フェードアウト等の画像の切り換えや同時再生方法は、映像効果部１２によって出力画像用メモリ１３を制御することにより行われる。音楽情報記憶部１６には音楽や音声信号が記憶されている。音楽演奏部１５は音楽情報記憶部１６やデコーダ部３３からの音声信号を制御して出力端子９０よりモニター装置２に出力する。電源１０は各部に電力を供給する。
【００７１】
次に、本実施形態の処理の概要を図５に示す。図４に示すブロック図に従って説明する。図５（ａ）はその基本シーケンスである。図５（ｂ）はそのバリエーションである。処理が開始すると、ステップ＃１でＤＶＣ３からビデオ撮影情報と銀塩フィルム４から銀塩撮影情報とを読み出して、銀塩情報・ビデオ情報メモリ部２０に記憶する。そして、処理がステップ＃２に進み、操作部１７の入力により、モード選択を検出する。次に、処理がステップ＃３に進み、検出したモード選択に基づき、所定の処理によりブロック分割を行う。
【００７２】
そして、処理がステップ＃４に進む。ステップ＃４では、操作部１７で指定される演奏時間や上記ブロック分割の結果に基づいて演奏方法（再生方法を含む）を決定する。次に、処理がステップ＃５に進み、決定した演奏方法に従って自動演奏する。演奏が終了すると、処理がステップ＃６に進み、ＤＶＣ３及び銀塩フィルム４を巻き戻す。そして、ＤＶＣ３及び銀塩フィルム４を画像再生装置１（図１参照）からイジェクトして、処理が終了する。
【００７３】
図５（ｂ）は上記処理のバリエーションである。図５（ａ）と同一処理については同一符号を付し、説明を省略する。巻き戻し処理（＃６）とイジェクト処理（＃７）の間に情報書き込み処理（＃８）が挿入されている。これは、銀塩情報・ビデオ情報メモリ部２０に記憶された情報をＤＶＣ３の先頭と銀塩フィルム４のリーダー部４ａ（図３参照）に書き込む処理である。これにより、処理が再び開始されたとき、情報読み出し処理（＃１）では、ＤＶＣ３の先頭と銀塩フィルム４のリーダー部４ａから情報を読み出すだけでよいので、処理速度が向上する。
【００７４】
情報読み出し処理（＃１）について図６を用いて詳細に説明する。処理が開始されると、ステップ＃１１で画像再生装置１（図１参照）の電源をオンする。そして、制御部１１が起動すると、まず、ステップ＃１２でＤＶＣ３が装着されているかどうか確認する。もし装着されていなければ、処理がステップ＃１３に進み、スーパーインポーズ部１４を制御してモニター装置２に装着を促す指示を出す。そして、処理がステップ＃１２に戻る。一方、ステップ＃１２でＤＶＣ３が装着されていれば、処理がステップ＃１４に進む。
【００７５】
ステップ＃１４で銀塩フィルム４が装着されているかどうか確認する。もし装着されていなければ、処理がステップ＃１５に進み、スーパーインポーズ部１４を制御してモニター装置２に銀塩フィルム４の装着を促す指示を出す。そして、処理がステップ＃１４に戻る。一方、ステップ＃１４で銀塩フィルム４が装着されていれば、処理がステップ＃１６に進む。
【００７６】
ステップ＃１６で、制御部１１はフィルム給送部２６に指示して銀塩フィルム４を送り、フィルム４に記憶されている銀塩撮影情報を全て読み込む。また、デッキ駆動部３６に指示してＤＶＣ３を高速に送りながらサブコードセクター７４（図２参照）を読む。そして、ステップ＃１７で、フィルム４から読み込まれた銀塩撮影情報と、ビデオ情報処理部３５より出力されるビデオ撮影情報を銀塩情報・ビデオ情報メモリ部２０に記憶する。銀塩情報・ビデオ情報メモリ部２０には少なくともフィルム１本以上及びビデオテープ１本以上の情報を記憶する記憶容量がある。
【００７７】
尚、銀塩フィルム４のリーダー部４ａ（図３参照）に銀塩撮影情報が書き込まれている場合、ステップ＃１６の処理ではリーダー部４ａから情報を読み込み、同様に、ＤＶＣ３の先頭にビデオ撮影情報が書き込まれている場合、その先頭部分から情報を読み込む。銀塩情報・ビデオ情報メモリ部２０に記憶される撮影情報の内容は前述のように図７に示すデータである。
【００７８】
ステップ＃１７でビデオ撮影情報と銀塩撮影情報が銀塩情報・ビデオ情報メモリ部２０に記憶されると、処理がステップ＃２０に進む。ステップ＃２０で、銀塩情報・ビデオ情報メモリ部２０に記憶されている銀塩撮影情報とビデオ撮影情報から、制御部１１は撮影日時、撮影時刻、同時撮影情報が一致しているか判断する。これにより、画像再生装置１（図１参照）に装着されたＤＶＣ３と、銀塩フィルム４が同時に使用されたものか確認する。
【００７９】
撮影情報が一致せず、同時に使用されたものでない場合、処理がステップ＃２１に進み、モニター装置２にスーパーインポーズ部１４を制御して装着変更を促す指示を出す。そして、処理がステップ＃１２に戻る。一方、ステップ＃２０で撮影情報が一致し、同時に使用されたものである場合、処理がステップ＃２２に進み、使用者が操作部１７でどの再生モードを選択しているか検出する。
【００８０】
銀塩重点再生モードを選択している場合、処理がステップ＃２３に進む。ビデオ重点再生モードを選択している場合、処理がステップ＃２４に進む。ダイジェストモードを選択している場合、処理がステップ＃２５に進む。そして、編集モードを選択している場合、処理がステップ＃２６に進む。次に、各モード（＃２３〜＃２６）の処理について説明する。
【００８１】
まず、ダイジェストモードについて説明する。図８はダイジェストモードの処理のフローチャートである。モード選択検出の処理（＃１０１）でダイジェストモードが選択されると、処理がステップ＃１０２に進む。そして、ステップ＃１０３で、制御部１１は銀塩情報・ビデオ情報メモリ部２０に記憶されている銀塩撮影情報とビデオ撮影情報を読み出す。ただし、読み出し内容は、図７に示す情報において、１番目から４番目までの情報である。
【００８２】
そして、その読み出した情報に基づき、制御部１１では、例えば図９に示すような撮影状況を表す時間チャートが作成される。上部の横軸８０に銀塩撮影の状況を示し、下部の横軸８１にビデオ撮影の状況を示す。横軸８０、８１はＤＶＣ３のタイムコードを基準としている。そのタイムコードを横軸８０と８１の間に５分刻みで示している。
【００８３】
横軸８０には銀塩撮影の撮影日と撮影時刻が○印Ａ、Ｂ・・・Ｗで表示されている。一方、横軸８１には、ビデオ記録の撮影開始を示すＳ表示と、撮影終了を示すＥ表示が表示されている。横軸８１上の○印ｊ〜ｎ及びｓは銀塩撮影のアフタービュー用の画像である。アフタービュー用の画像はＤＶＣ３に１フレーム記録されいているか、静止画像が１秒間ほど記録されている。
【００８４】
ダイジェストモードでは、アフタービュー用の画像は同じものが１２秒間再生される。また、ダイジェストモードでは、図５におけるブロック分割の処理（＃３）を行わず、同時撮影の前後１５秒ずつ３０秒間と、アフタービュー用の画像の１２秒間とで順次再生する。これにより、横軸８１において、ａ〜ｗの部分を順次再生することが決定される。
【００８５】
再生部分ａ〜ｗが決定されると、図８において、ステップ＃１０４でテープ再生時間が決定される。そして、処理がステップ＃１０５に進み、使用者が操作部１７（図４参照）で再生を指示したかどうか判断する待機状態となる。使用者が再生を指示すれば、処理がステップ＃１０６に進み、決定した再生順序に従って、ａ〜ｗの部分の再生を開始する。
【００８６】
再生中にステップ＃１０７で使用者が再生の終了を指示したかどうか判断する。もし使用者が再生の終了を指示すれば、処理がステップ＃１０９に進む。ステップ＃１０９で再生を終了する。一方、再生の終了を指示しなければ、処理がステップ＃１０８に進む。ステップ＃１０８でａ〜ｗの再生部分が最後まで完了したか判断する。もし完了していれば処理がステップ＃１０９に進む。一方、完了していなければ処理がステップ＃１０７に戻る。
【００８７】
ステップ＃１０９で再生を終了すると、処理がステップ＃１１０に進む。また、ステップ＃１０５で、再生を指示しなければ、処理が直接、ステップ＃１１０に進む。ステップ＃１１０で、使用者が操作部１７（図４参照）を操作することによりモード変更したか判断する。モード変更していれば、処理がステップ＃１０１に戻り、モード選択が検出される。そして、変更後のモードで処理される。
【００８８】
一方、ステップ＃１１０で、モード変更していなければ、処理が＃１１１に進み、操作部１７に設けられた電源スイッチがオフされたかどうか判断する。オフされていなければ、処理が＃１０５に戻り、使用者が再生指示したかどうか判断する。一方、電源スイッチがオフされていれば、処理が＃１１２に進み、ＤＶＣ３、フィルム４を巻き戻す。そして、処理が＃１１３に進み、ＤＶＣ３及びフィルム４をイジェクトして、処理が終了する。
【００８９】
尚、図５（ｂ）に示すバリエーションでは、ステップ＃１１２と＃１１３の処理の間に、ＤＶＣ３の先頭部分と、フィルム４のリーダー部４ａ（図３参照）に銀塩情報・ビデオ情報メモリ部２０に記憶されている情報を記録する処理が挿入される。これにより、次回の再生時にＤＶＣ３の先頭部分とフィルム４のリーダー部４ａから情報を読み取ることができる。ＤＶＣ３及びフィルム４の全てに渡って情報を読み出す必要がなくなるので、再生を開始するまでの時間が短縮される。
【００９０】
ただし、銀塩情報・ビデオ情報メモリ部２０の記憶容量には限りがあるため、新しく何本かのＤＶＣ３とフィルム４から情報を読み込んだ場合、古い分から情報が消去されていく。情報が消去されたときには、次回の再生時に再び全てに渡って情報を読み出す必要がある。
【００９１】
また、本実施形態ではビデオ画像の再生のみを行ったが、例えば、図１０に示すように、銀塩画像読み取り部２１（図４参照）でフィルム４から静止画を読み取り、モニター装置２の画面表示部２ａにその静止画とビデオ画像による動画を同時に再生するようにしてもよい。尚、図１０において図１と同一の部分については同一の符号を付し、説明を省略する。画面表示部２ａにおいて仕切線４７で仕切った区画４５にビデオ画像による動画を表示し、区画４６に静止画を表示する。逆に、区画４５に静止画を表示し、区画４６に動画を表示してもよい。また、仕切線４７は自由に設定してもよい。
【００９２】
同時に再生する場合には、図９においてビデオ画像ａの部分を再生しているとき、静止画Ａの部分を同時に再生する。同様に、ビデオ画像ｂ〜ｗの部分を再生しているとき、それぞれ静止画Ｂ〜Ｗの部分を同時に再生する。特に、ＨＤＴＶ（ｈｉｇｈｄｅｆｉｎｉｔｉｏｎ  ｔｅｌｅｖｉｓｉｏｎ）等の高画質モニターを使用する場合、画質の点で有効である。
【００９３】
銀塩画像メモリ部２３（図４参照）の記憶容量がある程度の余裕があるならば、Ｊ〜Ｎの部分は銀塩画像読み取り部２１で読み取った静止画を再生し、その他の静止画はメモリ部２３より、読み出すようにする。これにより、メモリ部２３の容量が十分でなくても、再生時にフィルムの巻き取り時間が短縮される。
【００９４】
また、銀塩画像を再生するときは、天地情報（図７参照）から天地方向を読み取り、画像の再生方向を決定する。再生するとき同時撮影の前後１５秒ずつ３０秒間再生するのでなく、それより短い時間や長い時間に設定してもよい。また、操作部１７でその時間を変更するようにしてもよい。アフタービュー用の画像においても同様である。画像再生時に、出力される音声はＤＶＣ３に記録された音声でもよいし、また音楽情報記憶部１６（図４参照）に記憶された音楽でもよい。そして、操作部１７に設けられた音楽の選択スイッチで、切り換えができるようにしてもよい。
【００９５】
次に、銀塩重点再生モードについて説明する。図１１は銀塩重点再生モードの処理のフローチャートである。尚、モード選択に関してはこの銀塩重点再生モードをデフォルトとするのが望ましい。モード選択検出の処理（＃２０１）で銀塩重点再生モードが選択されると、処理がステップ＃２０２に進む。
【００９６】
そして、ステップ＃２０３で、制御部１１は銀塩情報・ビデオ情報メモリ部２０（図４参照）から銀塩撮影情報、ビデオ撮影情報を読み出す。読み出す内容は、図７に示す情報において、１番目から４番目までの情報である。その読み出した情報に基づき、制御部１１では、例えば図１３に示すような時間チャートが作成される。尚、図１３において図９と同一の部分については同一の符号を付し、説明を省略する。
【００９７】
そして、処理がステップ＃２０４に進み、ブロック分割を行う。図１２はブロック分割処理（＃２０４）のフローチャートである。ブロック分割の処理が開始されると、まずステップ＃５０１で、ビデオ撮影の部分と銀塩のみの撮影部分に分けられる。ビデオ撮影の部分は撮影開始（Ｓ表示）と撮影終了（Ｅ表示）で分割されるブロックに分けられる。これにより、図１３において、１Ａ、１Ｂ・・・３Ｂ、３Ｃのブロックに分割される。
【００９８】
更に、引き続き、ブロック１Ａ〜３Ｃを階層的に分割していく。ステップ＃５０２で、各ブロックの撮影日時情報を読み出す。具体的にはブロックがビデオ撮影情報からビデオ撮影情報になるときは、ビデオ撮影終了とビデオ撮影開始の日時情報を読み出す。ビデオ撮影ブロックから銀塩撮影ブロックになるときは、ビデオ撮影終了と、銀塩記録開始の日時情報を読み出す。銀塩撮影ブロックからビデオ撮影ブロックに変化するときは、銀塩記録終了とビデオ撮影開始の日時情報を読み出す。
【００９９】
そして、ステップ＃５０３で、読み出した日時情報より年が変化したか判断する。年が変化した場合、ステップ＃５０４でブロックをブロック分割する。そして、処理がステップ＃５０５に進む。一方、ステップ＃５０３で年が変化していない場合、処理がステップ＃５０５に進む。
【０１００】
そして、ステップ＃５０５でブロックの月差が所定カ月以上であるか判断する。もし、月差が所定カ月以上であれば、処理がステップ＃５０６に進み、ブロックに分割する。そして、処理がステップ＃５０７に進む。一方、ステップ＃５０５で月差が所定カ月以上でなければ、処理がステップ＃５０７に進む。尚、この所定カ月は、例えば７月から８月に変わった場合で、７／３１から８／１への変化はブロック分けを行う必要がないと考えて、２カ月とする。
【０１０１】
次に、ステップ＃５０７でブロックの日付の変化を判断する。もし日付が変化していれば、処理が＃５０８に進み、ブロック分けを行う。そして、処理が図１１に示す処理に返る。一方、日付が変化していなければ、処理がそのまま返る。尚、銀塩のみの撮影ブロックにおいても、そのコマごとに撮影日時を読み出し、ステップ＃５０２〜＃５０８と同様の処理で、そのブロック内を更に細分する。このように階層的にブロック分けを行う。
【０１０２】
これにより、図１３ではブロック１、２、３に大きく分割される。更に、ブロック１はブロック１Ａ〜１Ｅに分割される。ブロック２はブロック２Ａだけである。ブロック３はブロック３Ａ〜３Ｃに分割される。図１４はそのブロック分割を表の形式で示したものである。尚、図１３及び図１４において、ブロック１Ｄ及び３Ｂは銀塩撮影ブロックとなるが、そのブロック内は細分されていない。また、そのときのビデオ撮影時間（Ｃ）を１枚の撮影で１２秒とみなしている。
【０１０３】
図１１において、処理がステップ＃２０４でブロック分割が行われると、処理がステップ＃２０５に進む。ステップ＃２０５ではブロックごとに所定の方法（後述する）により演奏方法を決定する。演奏方法を決定するために、まず、図１４に示すように、ブロック１、２、３について銀塩の撮影枚数の比の大きい順に演奏の重点（Ａ）を決定する。
【０１０４】
次に、ブロック１Ａ〜１Ｅについて、ビデオ撮影時間（Ｃ）と銀塩撮影枚数（Ｄ）から、ビデオ撮影時間／銀塩撮影枚数（Ｃ／Ｄ）を求め、その値が小さい方から順に演奏の重点（Ｂ）を決定する。これにより、演奏の重点（Ａ）及び（Ｂ）はビデオとともに銀塩でも画像を残しておこうとする撮影者の思い入れの度合いが反映したものとなる。
【０１０５】
重点（Ａ）及び（Ｂ）の順位の高いブロックの再生方法として、
１．銀塩撮影ブロックの場合は、
（イ）一枚あたりの再生時間を長くする。
（ロ）連続的に拡大あるいは縮小するズーミングや写真を左右に端から端まで連続的に映し出すパンニング等の演奏効果の大きな再生を行う。
などの演出方法で再生する。
２．ビデオ撮影ブロックの場合は、
（イ）すべてのビデオ撮影時間を再生する。
（ロ）銀塩撮影時刻前後のビデオ画像をなるべく長く再生する。
などの演出方法で再生する。
逆に、重点（Ａ）及び（Ｂ）の順位の低いブロックの再生方法として、
１．銀塩撮影ブロックの場合は、
（イ）一枚あたりの撮影時間を短くする。または、そのビデオ画像を短時間再生するだけでも構わない。
（ロ）ズーミングやパンニング等の効果を使用しない。
などの演出方法で再生する。
２．ビデオ撮影ブロックの場合は、
（イ）録画の開始時や銀塩撮影時刻の前後少しだけ再生する。
（ロ）銀塩撮影時刻前後のビデオ画像をなるべく短く再生する。
などの演出方法で再生する。
【０１０６】
このように、演奏方法を決定する。更に、階層的に分割されていることを利用して、ブロックごとの演出に共通性を与えることもできる。そして、演奏方法が決定すると、処理がステップ＃２０６に進み、演奏時間をモニター装置２に表示する。更に処理がステップ＃２０７に進み、使用者が演奏時間の変更を指示したか判断する。演奏時間の変更を指示すれば、処理がステップ＃２０５に戻る。そして、ステップ＃２０５で再度演奏方法を決め直す。例えば、演奏時間の表示が１０分であったとして使用者が演奏時間をもっと短くするように操作すると、ブロック分割はそのままにして、各ブロックの演奏方法を変更して演奏時間を短くする。
【０１０７】
ステップ＃２０７で使用者が演奏時間の変更を指示しなければ、処理がステップ＃２０８に進む。ステップ＃２０８で使用者が再生を指示したかどうか判断する待機状態となる。使用者が再生を指示すれば、処理がステップ＃２０９に進み、ステップ＃２０５で決定した演奏方法に従って、ブロック１Ａ〜３Ｃの再生を開始する。再生中にステップ＃２１０で使用者が再生の終了を指示したかどうか判断する。
【０１０８】
もし使用者が再生の終了を指示すれば、処理がステップ＃２１２に進み、再生を終了する。一方、再生の終了を指示しなければ、処理がステップ＃２１１に進む。ステップ＃２１１でブロック１Ａ〜３Ｃの再生が最後まで完了したか判断する。もし完了していれば処理がステップ＃２１２に進む。一方、完了していなければ処理がステップ＃２１０に戻る。
【０１０９】
ステップ＃２１２で再生を終了すると、処理がステップ＃２１３に進む。また、ステップ＃２０８で、再生を指示しなければ、処理が直接、ステップ＃２１３に進む。ステップ＃２１３で、使用者が操作部１７を操作することによりモード変更したかどうか判断する。モード変更していれば、処理がステップ＃２０１に戻り、モード選択が検出される。そして、変更後のモードで処理される。
【０１１０】
一方、ステップ＃２１３でモード変更していなければ、処理が＃２１４に進み、操作部１７に設けられた電源スイッチがオフされたかどうか判断する。オフされていなければ、処理が＃２０１に戻る。ステップ＃２１４で、電源スイッチがオフされていれば、処理が＃２１５に進み、ＤＶＣ３、フィルム４を巻き戻す。そして、処理が＃２１６に進み、ＤＶＣ３及びフィルム４をイジェクトして、処理が終了する。
【０１１１】
尚、図５（ｂ）に示すバリエーションでは、ステップ＃２１５と＃２１６の処理の間に、ＤＶＣ３の先頭部分と、フィルム４のリーダー部４ａ（図３参照）に銀塩情報・ビデオ情報メモリ部２０に記憶されている情報を記録する処理が挿入される。
【０１１２】
次に、ビデオ重点再生モードについて説明する。図１５はビデオ重点再生モードの処理のフローチャートである。モード選択検出の処理（＃３０１）でビデオ重点再生モードが選択されると、処理がステップ＃３０２に進む。そして、ステップ＃３０３で、制御部１１は銀塩撮影情報、ビデオ撮影情報を読み出す。読み出す内容は、図７に示す情報において、１番目から４番目までの情報である。その読み出した情報に基づき、制御部１１では例えば図１６に示すような時間チャートが作成される。尚、図１６において図９と同一の部分については同一の符号を付し、説明を省略する。
【０１１３】
そして、処理がステップ＃３０４に進み、ブロック分割を行う。前述した図１２に示すフローチャートの処理で分割する。ただし、銀塩のみの撮影ブロックは再生対象から除外する。これにより、図１６ではブロック１、２、３に大きく分割される。更に、ブロック１はブロック１Ａ〜１Ｄに分割される。ブロック２はブロック２Ａだけである。ブロック３はブロック３Ａ〜３Ｂに分割される。図１７はそのブロック分割を表の形式で示したものである。
【０１１４】
図１５において、ステップ＃３０４でブロック分割が行われると、処理がステップ＃３０５に進む。ステップ＃３０５ではブロックごとに所定の方法（後述する）により演奏方法を決定する。演奏方法を決定するために、まず、図１７に示すように、ブロック１、２、３について、ビデオ撮影時間／銀塩撮影枚数（Ｃ／Ｄ）の小さい順に演奏の重点（Ａ）を決定する。尚、重点（Ａ）は順位を設けず、等価としてもよい。
【０１１５】
次に、個々のブロック１Ａ〜３Ｂにおいて、ビデオ撮影時間／銀塩撮影枚数（Ｃ／Ｄ）を求め、その値の小さい方から順に重点（Ｂ）を決定する。これにより、演奏の重点（Ａ）及び（Ｂ）はビデオ撮影とともに銀塩でもその画像を残しておきたいとする撮影者の思い入れの度合いが反映したものとなる。
【０１１６】
重点（Ａ）及び（Ｂ）の順位の高いブロックの再生方法として、
（イ）全てのビデオ撮影時間を再生する。
（ロ）撮影開始時と銀塩撮影時刻前後のビデオ画像をなるべく長く再生する。
などの演出方法で再生する。
逆に重点（Ａ）及び（Ｂ）の順位の低いブロックの再生方法として、
（イ）録画の開始時や銀塩撮影時刻の前後を少しだけ再生する。
（ロ）銀塩撮影時刻前後のビデオ画像をなるべく短く再生する。
（ハ）銀塩撮影の行われていないブロックは再生しない。
などの演出方法で再生する。
【０１１７】
このように、演奏方法を決定する。デフォルトではブロック１、２、３に重点を置かない演奏方法でもよい。そして、演奏方法を決定すると処理がステップ＃３０６に進み、演奏時間をモニター装置２に表示する。更に処理がステップ＃３０７に進み、使用者が演奏時間の変更を指示したか判断する。演奏時間の変更を指示していれば処理が＃３０５に戻る。そして、ステップ＃３０５で再度演奏方法を決め直す。
【０１１８】
ステップ＃３０７で使用者が演奏時間の変更を指示していなければ、処理がステップ＃３０８に進む。ステップ＃３０８で使用者が再生を指示したか判断する。使用者が再生を指示すれば、処理がステップ＃３０９に進み、ステップ＃３０５で決定した演奏方法に従って、ブロック１Ａ〜３Ｃの再生を開始する。再生中にステップ＃３１０で使用者が再生終了を指示したかどうか判断する。
【０１１９】
もし使用者が再生終了を指示すれば、処理が＃３１２に進み、再生を終了する。一方、再生終了を指示しなければ、処理がステップ＃３１１に進む。ステップ＃３１１でブロック１Ａ〜３Ｃの再生が最後まで完了したか判断する。もし完了していれば処理がステップ＃３１２に進む。一方、完了していなければ処理がステップ＃３１０に戻る。
【０１２０】
ステップ＃３１２で再生を終了すると、処理がステップ＃３１３に進む。また、ステップ＃３０８で、再生を指示しなければ、処理がステップ＃３１３に進む。ステップ＃３１３で、使用者がモード変更していれば、処理がステップ＃３０１に戻り、モード選択検出が行われる。そして、変更後のモードで処理される。一方、モード変更していなければ、処理がステップ＃３１４に進み、操作部１７（図４参照）に設けられた電源スイッチがオフされたかどうか判断する。オフされていなければ、処理がステップ＃３０１に戻る。
【０１２１】
一方、電源スイッチがオフされていれば、処理がステップ＃３１５に進み、ＤＶＣ３、フィルム４を巻き戻す。そして、処理がステップ＃３１６に進み、ＤＶＣ３及びフィルム４をイジェクトして、処理が終了する。尚、図５（ｂ）に示すバリエーションでは、処理＃３１５と＃３１６の処理の間に、ＤＶＣ３の先頭部分と、フィルム４のリーダー部４ａ（図３参照）に銀塩情報・ビデオ情報メモリ部２０に記憶されている情報を記録する処理が挿入される。
【０１２２】
このようにビデオ画像をモード別の方法により編集し、トピック部分を自動的にダイジェストで再生する。ビデオ重点再生モードではビデオ撮影中に記録された銀塩画像は再生しない。これにより、記念写真等の部分を省略してビデオ画像のストーリー性を重視した表現、演奏となる。
【０１２３】
尚、図６において編集モードの処理（＃２６）は、撮影されたビデオ画像を編集する処理である。編集モードの処理では細かい指示を入力する手段があると便利である。そのため、細かい指示を入力することのできる第２の実施形態で説明する。
【０１２４】
本実施形態により、フィルム４とＤＶＣ３のように異なる記録媒体のマッチングを取って効果的に鑑賞することができるようになる。また、画像再生装置１はＤＶＣ３又は銀塩フィルム４のどちらか一方だけが装着されている場合でも、それに編集を加えないで単独で再生することもできる。
【０１２５】
＜第２の実施形態＞
本発明の第２の実施形態について図１８〜図２１を用いて説明する。図１８に本実施形態のシステム構成を示す。フィルムスキャナ６０は装着口６０ｂに装着された銀塩フィルム４から画像を読み出す装置である。銀塩フィルム４は矢印Ａ４に示すように装着される。
【０１２６】
フィルムスキャナ６０は銀塩フィルム４より画像、情報を読み込む。そしてデジタルの映像や音声信号を出力してパーソナルコンピュータ（以下「パソコン」という）６２等で画像が表示される。また、銀塩フィルム４に情報を書き込むこともできる。銀塩フィルム４は上記第１の実施形態で説明した銀塩フィルム４（図３）である。フィルムスキャナ６０の正面部に操作部１７が設けられる。
【０１２７】
フィルムスキャナ６０はビデオカメラ付きスチルカメラ６１よりビデオ信号を取り込み、パソコン６２に出力することもできる。カメラ６１は銀塩撮影とビデオ撮影を同時に行うことのできる画像撮影装置（図２０）である。ビデオ画像を記録するために、例えばＤＶＣが使用される。カメラ６１はそのビデオ画像を液晶表示板６１ａに表示する。パソコン６２は画像をモニター表示するモニター６２ａと、音楽や音声を再生するＣＤ再生装置６２ｂと、細かい指示を入力するキーボード６２ｃとを備える。また、ビデオ画像の記録用に光磁気ディスク記録装置（以下「ＭＯ」という）６３が接続される。
【０１２８】
図１９は本実施形態のシステムの制御を示すブロック図である。図１９は上記第１の実施形態のブロック図（図４）と基本的に同一である。そのため、同一部分については同一の符号を付し、説明を省略する。ビデオカメラ付きスチルカメラ６１は動画再生システムのみ図示し、他の映像録画システム等のシステムは省略している。
【０１２９】
図１９において、カメラ６１の内部にマイクロコンピュータ４０を有し、カメラ６１を制御する。マイクロコンピュータ４０はコネクタ５２、制御線５３及びコネクタ５１を介してフィルムスキャナ６０の制御部１１と交信する。ＤＶＣ３に記録されている内容をヘッド３２で読み取り、エンコーダ・デコーダ部４１に送られ、デコードされる。
【０１３０】
エンコーダ・デコーダ部４１より、映像信号は動画信号処理部３４に送られる。ビデオ撮影情報はビデオ情報処理部３５に送られる。音声信号は音声信号処理部４２に送られ、処理される。動画信号は動画信号処理部３４よりコネクタ５２、制御線５５、コネクタ５１を介して、フィルムスキャナ６０の出力画像用メモリ１３に送られる。音声信号は音声信号処理部４２よりコネクタ５２、制御線５４及びコネクタ５１を介してフィルムスキャナ６０の音楽演奏部１５に送られる。
【０１３１】
制御部１１はコネクタ５０を介してパソコン６２に接続され、パソコン６２と交信する。また、音楽演奏部１５は音声信号をコネクタ５０を介してパソコン６２に出力する。スーパーインポーズ部１４は映像信号をコネクタ５０を介してパソコン６２に出力する。パソコン６２にはＭＯ６３が接続され、画像等を記録する。また、パソコン６２にはＣＤ再生装置６２ｂが設けられ、ＣＤからをデータを読み取ることができる。ビデオ画像再生時、ＣＤから音楽情報を読み取り、これを出力するようにしてもよい。キーボード６２ｃよりキー入力が行われる。
【０１３２】
フィルムスキャナ６０での処理にはダイジェストモード、銀塩重点再生モード及びビデオ重点再生モードがある。これらは上記第１の実施形態と同様の処理であり、説明を省略する。尚、本実施形態では、制御部１１とパソコン６２との交信と、キーボード６２ｃ操作によって上記第１の実施形態より細かい操作が可能となる。また、ＭＯ６３に自動演奏した画像を記録しておくことにより、再び自動演奏するときに、処理が簡単になる。
【０１３３】
次に、編集モードについて説明する。図６において、モード選択検出の処理（＃２）により、編集モード（＃２６）が選択されると、制御部１１（図１９参照）は銀塩情報・ビデオ情報メモリ部３０に記憶された情報を読み出す。読み出す内容は図７において１番目から４番目までの情報である。次に、銀塩重点再生モードのときと同じ分割方法でブロック分割を行う。これにより、例えば図１３、図１４に示す時間チャートが作成される。図１３又は図１４のいずれかをパソコン６２のモニター６２ａに表示する。
【０１３４】
例えば、図２１に示すような画面表示となる。モニター６２ａには銀塩撮影された画像Ａ、Ｂ・・・も表示する。これにより、撮影の節目がよく分かるようになる。このように銀塩撮影された画像も同時に表示することにより、編集する映像の一連の流れが一目で把握できる。また、ポイント、トピック部分等がすぐに把握できる。尚、実際の編集作業はパソコン６２用に多数存在する編集ソフトにより行われる。
【０１３５】
【発明の効果】
請求項１の発明によると、静止画画像記録媒体とビデオ画像記録媒体をブロックに分割し、各ブロックについて同時撮影情報に基づいてそれぞれ演出方法を決定する。このため同時撮影された両方の画像ならではの効果的な鑑賞を行うことができる。
また、請求項２の発明によると、各記録媒体に記録されている各画像は同時撮影情報に基づいてブロックに分割される。各ブロックについて銀塩画像の枚数に対してビデオ画像の撮影時間が短いほど第２の記録媒体に記録された画像の再生時間の比率が大きくなる。静止画の撮影の頻度が高いブロックほど撮影者の思い入れが大きいと考えられ、その場面が重点的に再生されるという効果がある。
【図面の簡単な説明】
【図１】本発明の第１の実施形態のシステムの構成図。
【図２】そのＤＶＣへのデータ記録を示す模式図。
【図３】その銀塩フィルムを示す模式図。
【図４】その画像再生装置のブロック図。
【図５】その処理の概要を示すフローチャート。
【図６】その情報読み出し処理のフローチャート。
【図７】その撮影情報のデータ構造図。
【図８】そのダイジェストモードの処理のフローチャート。
【図９】そのダイジェストモードの再生の時間チャート。
【図１０】その静止画と動画の同時表示例を示す図。
【図１１】その塩銀重点再生モードの処理のフローチャート。
【図１２】そのブロック分割処理のフローチャート。
【図１３】その銀塩重点再生モードの再生の時間チャート。
【図１４】そのブロック分割と演奏の重点度を示す図。
【図１５】そのビデオ重点再生モードの処理のフローチャート。
【図１６】そのビデオ重点再生モードの時間チャート。
【図１７】そのブロック分割と重点度を示す図。
【図１８】本発明の第２の実施形態のシステムの構成図。
【図１９】そのブロック図。
【図２０】その画像撮影装置のブロック図。
【図２１】その編集モードの画面表示の例を示す図。
【符号の説明】
１    画像再生装置
２    モニター装置
３    デジタルビデオカセット
４    銀塩フィルム
１１    制御部
２１    銀塩画像読み取り部
２５    銀塩情報処理部
４０    マイクロコンピュータ
６０    フィルムスキャナ
６１    ビデオカメラ付きスチルカメラ
６２    パーソナルコンピュータ
【図１】
0003580069.tif 000002
【図２】
0003580069.tif 000003
【図３】
0003580069.tif 000004
【図４】
0003580069.tif 000005
【図５】
0003580069.tif 000006
【図６】
0003580069.tif 000007
【図７】
0003580069.tif 000008
【図８】
0003580069.tif 000009
【図９】
0003580069.tif 000010
【図１０】
0003580069.tif 000011
【図１１】
0003580069.tif 000012
【図１２】
0003580069.tif 000013
【図１３】
0003580069.tif 000014
【図１４】
0003580069.tif 000015
【図１５】
0003580069.tif 000016
【図１６】
0003580069.tif 000017
【図１７】
0003580069.tif 000018
【図１８】
0003580069.tif 000019
【図１９】
0003580069.tif 000020
【図２０】
0003580069.tif 000021
【図２１】
0003580069.tif 000022